(57)【要約】【課題】  納骨室内に複数の骨壺を収納し、該納骨室内のスペースを有効利用するとともに、該納骨室に対する骨壺の出し入れ時に、該納骨室に収容された他の骨壺をできるだけ見ないで済むようにすることができるようにする。【解決手段】  本発明の納骨庫５は、箱状に形成された納骨室１０と、納骨室１０内の所定の環状経路１１に沿って複数の骨壺Ｐを載置可能に構成されるとともに、該複数の骨壺Ｐが該所定の環状経路１１に沿って移動可能に構成された移動テーブル１２と、所定の環状経路１１の途中部に開口し、納骨室１０外から移動テーブル１２に対して骨壺Ｐを出し入れするための出し入れ口１３とを備えている。【選択図】      図２
2005287612.tif 000002
【特許請求の範囲】
【請求項１】
納骨室と、
納骨室内の所定の環状経路に沿って複数の骨壺を載置可能に構成されるとともに、該複数の骨壺が該所定の環状経路に沿って移動可能に構成された移動テーブルと、
前記所定の環状経路の途中部に開口し、前記納骨室外から前記移動テーブルに対して前記骨壺を出し入れするための出し入れ口とを備えた納骨庫。
【請求項２】
前記移動テーブルは、その上方の空間を仕切る少なくとも１つの隔壁を備えた請求項１記載の納骨庫。
【請求項３】
前記移動テーブルは、手動操作で移動させるように構成された請求項１又は２記載の納骨庫。
【請求項４】
前記移動テーブルを移動させる駆動部と、
該駆動部の動作を操作する入力部と
を備えた請求項１又は２記載の納骨庫。
【請求項５】
前記出し入れ口を開閉する扉を備え、
前記移動テーブルは、該扉が閉じた状態で、所望の骨壺を前記出し入れ口の近傍に移動させることができるように構成された請求項１〜４のいずれか一項に記載の納骨庫。
【請求項６】
前記移動テーブルの平面視略中央には、固定テーブルが配設された請求項１〜５のいずれか一項に記載の納骨庫。
【請求項７】
前記移動テーブルは、前記所定の環状経路としての円形経路に沿って前記骨壺が回転するように支持された回転移動テーブルである請求項１〜６のいずれか一項に記載の納骨庫。
【請求項８】
前記移動テーブルは、前記所定の環状経路に沿って移動可能に配設されたテーブル要素が互いにチェーン状に連結されてなる循環移動テーブルである請求項１〜６のいずれか一項に記載の納骨庫。
【発明の詳細な説明】
【技術分野】
【０００１】
本発明は、骨壺を保管するための納骨庫に関するものである。
【背景技術】
【０００２】
従来の納骨庫として、特許文献１記載の納骨用仏壇を例示する。この納骨用仏壇は、納骨堂等に遺骨の入った骨壺を整理よく保管するためのものであり、図９に示すように、台座８１の上に柱状部８２を立設して正面凸型の位牌状の外殻構造８３を備えている。台座８１の背面は蓮華台を除いて開放した直面に構成されていて、内部が骨壺Ｐを収納する骨壺収納部８７として構成されている。骨壺収納部８７には背面から出し入れできる引き出し８９が抜き差し可能に挿入されている。
【０００３】
また、縦長の柱状部８２は、背面が開放した中空体に構成され、その内部が棚板９２により下段、中段、上段の三段の骨壺収納部８７に画成されている。柱状部８２の背面は、一側においてヒンジで開閉可能に連結された開閉扉９３により開放可能に閉止されている。
【０００４】
【特許文献１】特許第２９６８２５９号公報
【発明の開示】
【発明が解決しようとする課題】
【０００５】
ところが、従来の納骨用仏壇は、正面凸型の位牌状に形成されており、占有スペースに対して収納可能な骨壺Ｐの数が少なく、スペース効率が悪いという課題がある。特に、核家族化の進展に伴って世帯規模が縮小するにつれて、一戸建てよりもマンション、アパート等の集合住宅に入居する世帯が増加してきており、住宅内における収納スペースが減少してきているため、スペース効率の良い納骨庫が切望されている。
【０００６】
また、台座８１の引き出し状の骨壺収納部８７や、柱状部８２の戸棚状の骨壺収納部８７は、いずれも引き出し８９や開閉扉９３を開けると、その中に収容された複数の骨壺Ｐが一度に見えるようになっているため、例えば、（ａ）人間とペットの組合せ、（ｂ）仲の悪かった人同士の組合せ、（ｃ）宗派の違う人同士の組合せ等からなる遺骨同士を同じ骨壺収納部８７に収納すると、その遺骨の関係者の中に不快な思いをする者がでてくることがあるという課題がある。
【課題を解決するための手段】
【０００７】
上記課題を解決するために、本発明の納骨庫は、納骨室と、納骨室内の所定の環状経路に沿って複数の骨壺を載置可能に構成されるとともに、該複数の骨壺が該所定の環状経路に沿って移動可能に構成された移動テーブルと、前記所定の環状経路の途中部に開口し、前記納骨室外から前記移動テーブルに対して前記骨壺を出し入れするための出し入れ口とを備えている。
【０００８】
この構成によれば、前記環状経路を前記納骨室内の略全体に渡って設定することができ、前記納骨室内のスペースを有効利用することができる。また、骨壺の出し入れは、前記環状経路の途中部に開口した前記出し入れ口を介して行うようになっているので、利用者から前記納骨室内に収容された複数の骨壺が一度に見えにくく、該納骨室に収容された他の骨壺をできるだけ見ないで済むようにすることができる。従って、従来例とは異なり、該複数の骨壺同士の組合せの良し悪しによる問題の発生を低減することができる。
【０００９】
前記移動テーブルは、その上方の空間を仕切る少なくとも１つの隔壁を備えた態様を例示する。
【００１０】
この構成によれば、前記隔壁により、前記複数の骨壺を確実に仕切って前記納骨室内に収容することができ、複数の骨壺に格納された遺骨同士の組合せの良し悪しによる問題の発生をさらに低減することができる。
【００１１】
前記移動テーブルを移動させる構成としては、特に限定されないが、次の態様を例示する。
（１）前記移動テーブルは、手動操作で移動させるように構成された態様。
（２）前記移動テーブルを駆動する駆動部と、該駆動部の動作を操作する入力部とを備えた態様。
【００１２】
前記納骨庫としては、
前記出し入れ口を開閉する扉を備え、
前記移動テーブルは、該扉が閉じた状態で、所望の骨壺を前記出し入れ口の近傍に移動させることができるように構成された態様を例示する。
【００１３】
この態様の構成例としては、特に限定されないが、次のものを例示する。
（１）前記移動テーブルは、上面が複数の区画に区分けされており、
該移動テーブルを駆動する駆動部と、
前記扉が閉じた状態で、いずれかの前記区画の指定を入力することにより、前記駆動部の動作を操作するための入力部と、
前記入力部で指定された前記区画が前記出し入れ口の近傍に移動するように、前記駆動部を制御する制御部と
を備えた態様。
（２）前記移動テーブルは、上面が複数の区画に区分けされており、
前記扉が閉じた状態で、いずれの前記区画が前記出し入れ口の近傍に位置しているかを表示する表示手段と、
前記扉が閉じた状態で、前記移動テーブルを手動で移動させる操作手段と
を備えた態様。
【００１４】
この構成によれば、前記納骨室に対して骨壺を出し入れするときに、該納骨室に収容された他の骨壺を見ないで済む。
【００１５】
前記納骨庫においては、前記移動テーブルの平面視略中央には、固定テーブルが配設された態様を例示する。
【００１６】
この構成によれば、前記複数の骨壺に対して共通のお供え物等を前記固定テーブルに載置することができる。
【００１７】
前記移動テーブルにおいて、前記骨壺を移動させる構成としては、特に限定されないが、次の態様を例示する。
（１）前記所定の環状経路としての円形経路に沿って前記骨壺が回転するように支持された回転移動テーブルである態様。
（２）前記所定の環状経路に沿って移動可能に配設されたテーブル要素が互いにチェーン状に連結されてなる循環移動テーブルである態様。
【００１８】
これらの構成によれば、前記納骨庫を簡単な構成で実現することができる。
【発明の効果】
【００１９】
本発明に係る納骨庫によれば、納骨室内に複数の骨壺を収納し、該納骨室内のスペースを有効利用するとともに、該納骨室に対する骨壺の出し入れ時に、該納骨室に収容された他の骨壺をできるだけ見ないで済むようにすることができるという優れた効果を奏する。
【発明を実施するための最良の形態】
【００２０】
図１〜図３は本発明を具体化した第一実施形態の納骨庫を備えた仏壇ユニット１を示している。この仏壇ユニット１は、上段に設けられた仏壇部２と、下段に設けられた納骨部３とを備えている。納骨部３は、小物入れ４を介在させた上下二段の納骨庫５を備えている。仏壇部２の構成としては、特に限定されないが、須弥壇及び仏具等が内部に設置された態様を例示する。また、小物入れ４の構成としては、特に限定されない。
【００２１】
納骨庫５は、箱状に形成された納骨室１０と、該納骨室１０内の所定の環状経路１１に沿って複数の骨壺Ｐを載置可能に構成されるとともに、該複数の骨壺Ｐが該所定の環状経路１１に沿って移動可能に構成された移動テーブル１２と、所定の環状経路１１の途中部に開口し、納骨室１０外から移動テーブル１２に対して骨壺Ｐを出し入れするための出し入れ口１３と、該出し入れ口１３を開閉する開閉扉１４とを備えている。
【００２２】
本例の移動テーブル１２は、円盤状のテーブル板１２ａが所定の環状経路１１としての円形経路に沿って骨壺Ｐが回転するように支持された回転移動テーブルとなっている。移動テーブル１２を回転移動可能に設ける構成としては、特に限定されないが、本例では、移動テーブル１２の下面には円環状凸部１８が設けられており、該円環状凸部１８の内側には納骨室１０の床面に設けられた円環状凸部１０ａが相対摺動可能に嵌入するように構成されている。
【００２３】
また、移動テーブル１２の中央には支柱１６が立設されており、該支柱１６に対して、テーブル上方の空間を６つに仕切る６枚の隔壁１７が着脱自在に装着されている（図３（ｂ）参照）。この隔壁１７の一方の側端部には、支柱１６に設けられた凹部１６ａに嵌入する凸部１７ａが設けられている。そして、隔壁１７は、下端部が移動テーブル１２の上面に形成された溝１２ｂに嵌入されるとともに、凸部１７ａが支柱１６の凹部１６ａに嵌入されることにより、移動テーブル１２に着脱自在に装着されるようになっている。この隔壁１７を適宜取り外すことにより、夫婦、親子、飼い主及びペット等の親密な関係を有する遺骨が収容された２以上の骨壺Ｐを仕切らずに収容するようにすることもできるようにしている。この隔壁１７により、移動テーブル１２は上面が複数の区画に区分けされており、該移動テーブル１２の周面には該各区画を識別するための識別ラベル１５が設けられている。
【００２４】
開閉扉１４は、左右の扉が中央から両側に開くように構成された開き戸となっており、左右の扉を閉じた状態で、出し入れ口１３の正面における移動テーブル１２の周面を露出させる横長の穴１４ａが設けられている。この穴１４ａを介して、移動テーブル１２の周面に設けられた識別ラベル１５を外部に表示するようになっており、これが、いずれの区画が出し入れ口１３の略正面に位置しているかを表示する表示手段である。また、穴１４ａを介して、移動テーブル１２の周面に手で触れ、移動テーブル１２を左右に回動させることができるようになっており、これが、開閉扉１４が閉じた状態で移動テーブル１２を手動で移動させる操作手段である。この表示手段及び操作手段により、本例の移動テーブル１２は、開閉扉１４が閉じた状態で、所望の骨壺Ｐを出し入れ口１３の正面に移動させることができるように構成されている。
【００２５】
以上のように構成された本例の納骨庫５によれば、納骨室１０と、納骨室１０内の所定の環状経路１１に沿って複数の骨壺Ｐを載置可能に構成されるとともに、該複数の骨壺Ｐが該所定の環状経路１１に沿って移動可能に構成された移動テーブル１２と、所定の環状経路１１の途中部に開口し、納骨室１０外から移動テーブル１２に対して骨壺Ｐを出し入れするための出し入れ口１３とを備えている。このため、環状経路を納骨室１０内の略全体に渡って設定することができ、納骨室１０内のスペースを有効利用することができる。また、骨壺Ｐの出し入れは、環状経路１１の途中部に開口した出し入れ口１３を介して行うようになっているので、利用者から納骨室１０内に収容された複数の骨壺Ｐが一度に見えにくく、該納骨室１０に収容された他の骨壺Ｐをできるだけ見ないで済むようにすることができる。従って、従来例とは異なり、該複数の骨壺Ｐ同士の組合せの良し悪しによる問題の発生を低減することができる。
【００２６】
また、移動テーブル１２は、その上方の空間を６つに仕切る６枚の隔壁１７を備えているので、該隔壁１７により、複数の骨壺Ｐを確実に仕切って納骨室１０内に収容することができ、複数の骨壺Ｐに格納された遺骨同士の組合せの良し悪しによる問題の発生をさらに低減することができる。
【００２７】
また、移動テーブル１２は、上面が複数の区画に区分けされており、開閉扉１４が閉じた状態で、いずれの前記区画が出し入れ口１３の略正面に位置しているかを表示する表示手段と、開閉扉１４が閉じた状態で、移動テーブル１２を手動で移動させる操作手段とを備えているので、利用者が納骨室１０に対して骨壺Ｐを出し入れするときに、該納骨室１０に収容された他の骨壺Ｐを見ないで済ませることができる。
【００２８】
また、本例の移動テーブル１２は、所定の環状経路１１としての円形経路に沿って骨壺Ｐが回転するように支持された回転移動テーブルであり、以上のような簡単な構成で実現することができる。
【００２９】
また、本例のように納骨庫５を上下二段に配設すれば、例えば上段に人間用の骨壺Ｐ、下段にペット用の骨壺Ｐを収納する等、適宜使い分けることができる。しかも、本例のように上下の納骨庫５の間に、小物入れ等の納骨庫５以外の要素を介在させると、上下二段を確実に離隔することができ、例えば上段に人間用の骨壺Ｐ、下段にペット用の骨壺Ｐを収納する場合に、人間の遺骨とペットの遺骨とを近接して収容することに抵抗を感じる人の感情を緩和することができる。
【００３０】
次に、図４及び図５は本発明を具体化した第二実施形態を示している。この納骨庫３０は、以下に示す点において、主に第一実施形態と相違している。従って、同実施形態と共通する部分については、同一符号を付することにより重複説明を省く（以下、他の実施形態についても同様）。
【００３１】
本例の移動テーブル３１は、テーブル板３１ａが平面視でドーナツ状に形成されており、その中央にある穴３１ｂには、納骨室１０の床面に支持された固定テーブル３２が配設されている。納骨室１０の床面に対する移動テーブル３１の支持構造は、第一実施形態と同様である。固定テーブル３２は、正面を除く周囲に壁３２ａが設けられており、該壁３２ａにより、出し入れ口１３の正面に位置した区画以外の区画にある骨壺Ｐが、出し入れ口１３から見えなくなるようにしている。この構成によれば、複数の骨壺Ｐに対して共通の物Ｑ（お供え物等）を固定テーブルに載置することができる。
【００３２】
本例の納骨庫３０によれば、第一実施形態と同様の効果に加え、上記本例特有の効果を得ることができる。
【００３３】
次に、図６〜図８は本発明を具体化した第三実施形態を示している。この納骨庫４０は、以下に示す点において、主に第二実施形態と相違している。
【００３４】
本例の移動テーブル４１は、所定の環状経路４２に沿って移動可能に配設されたテーブル要素４３ａ〜４３ｈが互いにチェーン状に連結されてなる循環移動テーブルとしている。本例の移動テーブル４１は、隣接するテーブル要素４３の間に、両テーブル要素４３を互いに仕切る隔壁４４が設けられている。テーブル要素４３及び隔壁４４をチェーン状に連結する構成としては、特に限定されないが、本例では、納骨室１０の床面の四方に、それぞれ垂直軸を中心に回転自在に支持された４つのプーリ４５と、該４つのプーリ４５に巻き掛けられた環状ベルト４６とを備え、環状ベルト４６には、その長さ方向に沿って所定間隔をおいてテーブル要素４３及び隔壁４４が取り付けられた構成を採用している。そして、モータ５１の駆動力を動力伝動機構としてのベルト伝動機構５１ａにより、いずれかのプーリ４５の軸に伝動することにより、移動テーブル４１を駆動するようになっている。本例では、各テーブル要素４３ａ〜４３ｈが各区画Ａ〜Ｈに対応付けられている。
【００３５】
また、本例の納骨庫４０は、移動テーブル４１を駆動する駆動部としてのモータ５１と、開閉扉１４が閉じた状態で、いずれかの区画Ａ〜Ｈの指定を入力するための選択スイッチ５２ａ〜５２ｈからなる入力部５２と、入力部５２で指定されたいずれかの区画Ａ〜Ｈが出し入れ口１３の略正面に移動するように、モータ５１を制御する制御部５３とを備えている。本例では、各テーブル要素４３ａ〜４３ｈの下面に、区画Ａ〜Ｈのいずれに対応づけられているかを示す識別手段５５を設けている。本例の制御部５３は、識別手段５５を納骨室１０の床面に配設したセンサ５６で検出することにより、テーブル要素４３ａ〜４３ｈのいずれが出し入れ口１３の正面に位置しているかを検出することにより、移動テーブル４１の移動位置を制御するようになっている。このように、本例の移動テーブル４１は、開閉扉１４が閉じた状態で、所望の骨壺Ｐを出し入れ口１３の正面に移動させることができるように構成されている。この構成によれば、納骨室１０に対して骨壺Ｐを出し入れするときに、該納骨室１０に収容された他の骨壺Ｐを見ないで済む。
【００３６】
本例の納骨庫４０によれば、第二実施形態と同様の効果に加え、上記本例特有の効果を得ることができる。
【００３７】
次に、図９及び図１０は本発明を具体化した第四実施形態を示している。この納骨庫６０は、以下に示す点において、主に第一実施形態と相違している。
【００３８】
本例の納骨庫６０は、床６１に埋め込まれた床収納型として構成されている。出し入れ口６２は、納骨室１０の天井部において、所定の環状経路１１の途中部に開口するように設けられている。開閉扉６３は、床６１の上方に開閉するように構成されている。また、支柱１６及び隔壁１７の上端部には、平面視で移動テーブル１２と同心位置に円板６５が固定されており、該円板６５の上面には、移動テーブル１２の各区画を識別するための識別ラベル１５が設けられている。納骨室１０の天井部には、横長の穴６４が設けられており、この穴６４を介して、識別ラベル１５を外部に表示するようになっており、これが、いずれの区画が出し入れ口６２の略直下方に位置しているかを表示する表示手段である。また、穴６４を介して、円板６５の上面に手で触れ、移動テーブル１２を左右に回動させることができるようになっており、これが、開閉扉６３が閉じた状態で、移動テーブル１２を手動で移動させる操作手段である。この表示手段及び操作手段により、本例の移動テーブルは、開閉扉６３が閉じた状態で、所望の骨壺Ｐを出し入れ口６２の略直下方に移動させることができるように構成されている。
【００３９】
本例の納骨庫６０によれば、第一実施形態と同様の効果に加え、上記本例特有の効果を得ることができる。
【００４０】
なお、本発明は前記実施形態に限定されるものではなく、例えば以下のように、発明の趣旨から逸脱しない範囲で適宜変更して具体化することもできる。
（１）第三実施形態において、移動テーブル４１を駆動するための構成を適宜変更すること。
（２）第三実施形態において、移動テーブル４１を手動で移動させるように構成すること。
（３）第三実施形態以外の実施形態において、第三実施形態と同様に、移動テーブルを駆動する駆動部と、該駆動部の動作を操作する入力部とを備えた態様を採用すること。
（４）納骨室１０を金庫と同様の耐火構造や耐震構造に構成すること。これにより、地震・火災などの不備の災害の際に、骨壺Ｐを保護することができる。また、開閉扉１４，６３を施錠可能に構成してもよい。これにより、骨壺Ｐの盗難を防止することができる。これらの構成によれば、骨壺Ｐを保護することができ、利用者の安心感を高めることができる。
【図面の簡単な説明】
【００４１】
【図１】本発明を具体化した第一実施形態に係る納骨庫を備えた仏壇ユニットを示す正面図である。
【図２】図１のＩＩ−ＩＩ線断面図である。
【図３】同納骨庫の側断面図であり、（ａ）は図２のＩＩＩａ−ＩＩＩａ線断面図、（ｂ）は隔壁を出し入れ口の正面に位置させた状態の断面図である。
【図４】本発明を具体化した第二実施形態に係る納骨庫を示す、図２と同様の断面図である。
【図５】図４のＶ−Ｖ線断面図である。
【図６】本発明を具体化した第三実施形態に係る納骨庫を示す、図２と同様の断面図である。
【図７】同納骨庫を示す図であり、（ａ）は正面図、（ｂ）は図６のＶＩＩｂ−ＶＩＩｂ線断面図、（ｃ）は図６のＶＩＩｃ−ＶＩＩｃ線断面図である。
【図８】同納骨庫の制御系統を示すブロック図である。
【図９】本発明を具体化した第四実施形態に係る床収納型の納骨庫を示す側断面図である。
【図１０】図９のＸ−Ｘ線断面図である。
【図１１】従来例の納骨庫を示す斜視図である。
【符号の説明】
【００４２】
１    仏壇ユニット
２    仏壇部
３    納骨部
４    小物入れ
５    納骨庫
１０    納骨室
１１    環状経路
１２    移動テーブル
１３    出し入れ口
１４    開閉扉
１７    隔壁
３０    納骨庫
３１    移動テーブル
３２    固定テーブル
４０    納骨庫
４１    移動テーブル
４２    環状経路
４３ａ〜４３ｈ  テーブル要素
４４    隔壁
５１    モータ
５２    入力部
５２ａ〜５２ｈ  選択スイッチ
５３    制御部
６０    納骨庫
６１    床
６２    出し入れ口
６３    開閉扉
Ａ〜Ｈ  区画
Ｐ      骨壺
【図１】
2005287612.tif 000003
【図２】
2005287612.tif 000004
【図３】
2005287612.tif 000005
【図４】
2005287612.tif 000006
【図５】
2005287612.tif 000007
【図６】
2005287612.tif 000008
【図７】
2005287612.tif 000009
【図８】
2005287612.tif 000010
【図９】
2005287612.tif 000011
【図１０】
2005287612.tif 000012
【図１１】
2005287612.tif 000013